(57)【要約】      （修正有）【課題】義歯の破損を防止しつつ当該義歯を固定することのできる固定具、および、この固定具を有し、正確かつ効率的さらには客観的に噛み合せの調節を行うことのできる咬合器の提供。【解決手段】固定具２は、咬合器に有床義歯を固定するための固定具であって、有床義歯の床を配置する凹部２１１を有する本体２１と、凹部２１１内に設けられ、作動流体の供給によって膨張し、作動流体の排出によって収縮するバルーン２２１，２２２とを有し、凹部２１１内に有床義歯の床を配置した状態にて、バルーン２２１，２２２内に作動流体を供給し、バルーン２２１，２２２を膨張させることによって、有床義歯を固定するよう構成されている。【選択図】図３
2013052088.tif 000002
【特許請求の範囲】
【請求項１】
咬合器に有床義歯を固定するための固定具であって、
前記有床義歯の床部を配置する凹部を有する本体と、
凹部内に設けられ、作動流体の供給によって膨張し、前記作動流体の排出によって収縮するバルーンと、を有し、
前記凹部内に前記有床義歯の床部を配置した状態にて、前記バルーン内に前記作動流体を供給し、前記バルーンを膨張させることによって、前記有床義歯を固定するよう構成されていることを特徴とする固定具。
【請求項２】
前記バルーンは、前記凹部に前記有床義歯を配置した状態にて、前記有床義歯の表側に位置する第１のバルーンと、前記有床義歯の裏側に位置する第２のバルーンとを有している請求項１に記載の固定具。
【請求項３】
請求項１または２に記載の固定具を備えることを特徴とする咬合器。
【発明の詳細な説明】
【技術分野】
【０００１】
本発明は、固定具および咬合器に関する。
【背景技術】
【０００２】
歯科治療において、損失した天然歯を補うための義歯治療がある。義歯治療とは、例えば、局部床義歯（部分入れ歯）や全部床義歯（総入れ歯）等の有床義歯（入れ歯）を作成し、作成した有床義歯を歯肉に被せることにより、前記損失した天然歯を補う治療を言う。なお、有床義歯は、歯肉に被せる床と、この床に固定された人工歯とを有し、局部床義歯においては、さらにクラスプ等を有している。
【０００３】
このような義歯治療においては、（１）頬の内側や歯肉等の口腔粘膜に対する有床義歯の適合性（密着性やフィット感）と、（２）有床義歯の噛み合わせとが非常に重要となる。
【０００４】
前記（１）の調整については、まず、例えばシリコンなどの軟質材料が床内面に塗布された有床義歯を患者に装着し、有床義歯を歯肉に軽く押し付ける。これにより、軟質材料が床と歯肉に挟まれ、その表面が歯肉の形状に応じて変形する。次に、有床義歯を取り外し、変形した軟質材量の厚み等から強く歯肉を圧迫している部分を探す。床が歯肉を強く圧迫している部分を発見した場合には、この部分の内面を削って調整する。このような作業を必要に応じて複数回繰り返すことにより、口腔粘膜（歯肉）との適合性が高い有床義歯を作成する。
【０００５】
一方、前記（２）の調整については、まず、有床義歯を装着した患者に、上歯と下歯との間にカーボン紙等を挟んだ状態にて噛み合わせてもらったり、噛み合せた状態で下顎を上顎に対して左右に動かしてもらったりする。次に、有床義歯の人工歯に付着したカーボン紙のインクの様子を見て噛み合せのバランス、具体的には、均一な力で噛み合っているか、下顎を左右・前後に動かす際に有床義歯が安定しているか等を観察する。不具合を発見した場合には、人工歯を削って調整する。このような作業を必要に応じて複数回繰り返すことにより、適した噛み合せの有床義歯を作成する。
【０００６】
ここで、患者は、例えば、初めて装着した有床義歯であることや緊張によって、歯科医師の指示に従って通常の噛み合せを再現することができない場合があり、このような場合、有床義歯の調整が困難となる。これに加えて、顎の変形、噛み合せ異常、認知症等の疾患を抱えた患者に対する有床義歯の調整は、特に困難となる。
【０００７】
そこで、例えば、上歯と下歯の噛み合せを再現することのできる咬合器に有床義歯を固定した状態で噛み合せの調整を行うことが考えられる。これによれば、歯科医師の意思で噛み合せ状態を再現できるため、正確かつ効率的、さらには客観的に、噛み合せの調節を行うことができる。
【０００８】
咬合器は、従来からよく知られており、例えば、一対の支持板（上側支持板および下側指示板）と、これらを連結するとともに途中で屈曲変形可能な連結部とを有している（例えば、特許文献１参照）。
【０００９】
このような咬合器では、例えば、下顎側の有床義歯の噛み合せを調節する場合、患者の上側の歯型を有する上顎模型を上側支持板の下面に石膏（接着剤）を介して固定するとともに、有床義歯を下側支持板の上面に石膏（接着剤）を介して固定する。そして、連結部を所望の形状に屈曲変形させることにより、様々な状態での噛み合せを再現することができる。
【００１０】
しかしながら、このような咬合器では、有床義歯を石膏により固定するため、石膏が固まるまでに時間がかかり治療の長時間化を招いてしまうという問題と、石膏で有床義歯を破損するおそれがあるという問題とを少なくとも有している。
【先行技術文献】
【特許文献】
【００１１】
【特許文献１】特開２００６−２３０７２６号公報
【発明の概要】
【発明が解決しようとする課題】
【００１２】
本発明の目的は、義歯の破損を防止しつつ当該義歯を固定することのできる固定具、および、この固定具を有し、正確かつ効率的さらには客観的に噛み合せの調節を行うことのできる咬合器を提供することにある。
【課題を解決するための手段】
【００１３】
このような目的は、下記（１）〜（３）の本発明により達成される。
（１）  咬合器に有床義歯を固定するための固定具であって、
前記有床義歯の床部を配置する凹部を有する本体と、
凹部内に設けられ、作動流体の供給によって膨張し、前記作動流体の排出によって収縮するバルーンと、を有し、
前記凹部内に前記有床義歯の床部を配置した状態にて、前記バルーン内に前記作動流体を供給し、前記バルーンを膨張させることによって、前記有床義歯を固定するよう構成されていることを特徴とする固定具。
【００１４】
（２）  前記バルーンは、前記凹部に前記有床義歯を配置した状態にて、前記有床義歯の表側に位置する第１のバルーンと、前記有床義歯の裏側に位置する第２のバルーンとを有している上記（１）に記載の固定具。
（３）  請求項１または２に記載の固定具を備えることを特徴とする咬合器。
【発明の効果】
【００１５】
本発明によれば、軟質なバルーンによって義歯を圧迫することにより、義歯を凹部内で挟持し固定するため、義歯の破損（傷つき、破壊等）を効果的に防止または抑制することができる。また、バルーンが義歯の表面形状に追従して変形し密着するため、義歯をより安定した状態で固定することができる。
【００１６】
また、従来のように、石膏等の接着剤を用いずに義歯を固定することができるため、患者から取り外した義歯を固定具に固定する行為や、固定具から取り外した義歯を患者に装着する行為を迅速に行うことができる。そのため、義歯の噛み合せの調整をより短時間にかつ効率的に行うことができる。さらには、石膏等の接着剤を取り除く必要がなく、その際に義歯が破損する危険性を回避することができる。
【図面の簡単な説明】
【００１７】
【図１】本発明の咬合器の好適な実施形態を示す斜視図である。
【図２】図１に示す咬合器が有する第１の固定具の平面図（上面図）である。
【図３】図２に示す第１の固定具の断面図である。
【図４】図２に示す第１の固定具へ下顎側有床義歯を固定する方法を説明する平面図である。
【図５】図２に示す第１の固定具へ下顎側有床義歯を固定する方法を説明する平面図である。
【図６】第１の固定具に下顎側有床義歯を固定し、第２の固定具に上顎側有床義歯を固定した状態を示す断面図である。
【発明を実施するための形態】
【００１８】
以下、本発明の固定具を適用した咬合器（本発明の咬合器）の好適な実施形態について、添付図面を参照しつつ説明する。
【００１９】
図１は、本発明の咬合器の好適な実施形態を示す斜視図、図２は、図１に示す咬合器が有する第１の固定具の平面図（上面図）、図３は、図２に示す第１の固定具の断面図、図４および図５は、図２に示す第１の固定具へ下顎側有床義歯を固定する方法を説明する平面図、図６は、第１の固定具に下顎側有床義歯を固定し、第２の固定具に上顎側有床義歯を固定した状態を示す断面図である。なお、以下では、説明の便宜上、図１〜図６中の上側を「上」と言い、下側を「下」とも言う。
【００２０】
図１に示す咬合器１は、下顎側有床義歯１００を固定する第１の固定具（本発明の固定具）２と、上顎側有床義歯２００を固定する第２の固定具（本発明の固定具）３と、第１の固定具２および第２の固定具３を、顎運動に近似して相対運動可能なように連結する連結部４とを有している。
【００２１】
このような咬合器１は、第１の固定具２に固定された下顎側有床義歯１００と、第２の固定具３に固定された上顎側有床義歯２００とを噛み合わせることによって、これらを患者に装着したときと同様の噛み合せを再現することができる歯科治療用機器である。このような咬合器１を用いることにより、下顎側有床義歯１００および上顎側有床義歯２００の噛み合せを簡単かつ効率的簡単に調整することができる。
【００２２】
なお、本願明細書中の「有床義歯」には、少なくとも、局部床義歯（部分入れ歯）および全部床義歯（総入れ歯）が含まれる。一般的に、全部床義歯は、歯肉に被せる床と、この床に固定された人工歯とを有しており、局部床義歯は、さらに、クラスプ等を有している。なお、以下では、説明の便宜上、有床義歯として、全部床義歯を例に挙げて説明する。
【００２３】
以下、本実施形態の咬合器１について詳細に説明する。
まず、第１の固定具２および第２の固定具３について説明するが、これらは、互いに同様の構成であるため、以下では、第１の固定具２について代表して説明し、第２の固定具３については、その説明を省略する。
【００２４】
［第１の固定具］
図２および図３に示すように、第１の固定具２は、下顎側有床義歯１００の床部（下顎側有床義歯床部）１１０を配置（収納）する凹部２１１を有する本体２１と、凹部２１１内に設けられたバルーン２２とを有している。
【００２５】
本体２１は、下顎側有床義歯１００を支持・固定するための部材である。また、本体２１は、硬質であり、例えば、金属製またはプラスチック製とすることができる。このような本体２１には、その下面に開口する凹部２１１が形成されている。
【００２６】
凹部２１１は、下顎側有床義歯１００の床部１１０を配置するための凹部である。したがって、凹部２１１の形状（開口形状および深さ）は、下顎側有床義歯１００の床部１１０を配置（収納）することができれば、特に限定されず、本実施形態では、床部１１０の形状に類似した「Ｕ」字状をなしている。なお、下顎側有床義歯１００の床部１１０の形状は、患者によって異なる。そのため、第１の固定具２に汎用性を持たせるために、凹部２１１の形状は、統計や経験によって大半の下顎側有床義歯１００の床部１１０を配置できるような形状とするのがよい。
【００２７】
このような凹部２１１には、バルーン２２が設けられている。バルーン２２は、第１のバルーン２２１および第２のバルーン２２２からなり、これら第１、第２のバルーン２２１、２２２は、それぞれ、その内部に作動流体ｆを供給することによって膨張し（膨らみ）、反対に、内部の作動流体ｆを排出するによって収縮する（萎む）。
【００２８】
第１のバルーン２２１は、弾性を有し、膨張・収縮が可能な袋状の本体２２１ａと、本体２２１ａ内へ作動流体ｆを供給したり、本体２２１ａ内の作動流体ｆを排出したりする口部２２１ｂを有している。
【００２９】
本体２２１ａは、長尺であり、「Ｕ」字状の凹部２１１の外側（表側）の側面２１１ａに沿って配置されている。すなわち、本体２２１ａは、凹部２１１に下顎側有床義歯１００を配置したときに、下顎側有床義歯１００の表側に位置するように設けられている。このような本体２２１ａは、その外周の一部にて、例えば、接着剤やワイヤー等を用いて凹部２１１の側面２１１ａに固定されている。これにより、本体２２１ａを凹部２１１の側面２１１ａに沿って、すなわち「Ｕ」字状に膨張させることができる。
【００３０】
口部２２１ｂは、本体２１に形成された貫通孔２１２を介して本体２１から突出している。そのため、口部２２１ｂを介して、本体２２１ａへの作動流体ｆの供給および本体２２１ａからの作動流体ｆの排出を簡単に行うことができる。
【００３１】
このような第１のバルーン２２１では、口部２２１ｂから本体２２１ａ内へ作動流体ｆを供給することにより本体２２１ａが凹部２１１内に向けて膨張し（膨らみ）、口部２２１ｂから本体２２１ａ内の作動流体ｆを排出することによって本体２２１ａが収縮する（萎む）。
【００３２】
第２のバルーン２２２は、弾性を有し、膨張・収縮が可能な袋状の本体２２２ａと、本体２２２ａ内へ作動流体ｆを供給したり、本体２２２ａ内の作動流体ｆを排出したりする口部２２２ｂを有している。
【００３３】
本体２２２ａは、膨張した形状が球状であり、「Ｕ」字状の凹部２１１の内側（裏側）の側面２１１ｂの頂部（中切歯と対向する部分）に配置されている。すなわち、本体２２２ａは、凹部２１１に下顎側有床義歯１００を配置したときに、下顎側有床義歯１００の裏側に位置するように設けられている。
【００３４】
口部２２２ｂは、本体２１に形成された貫通孔２１３を介して、本体２１から突出している。そのため、本体２２２ａへの作動流体ｆの供給および本体２２２ａからの作動流体ｆの排出を簡単に行うことができる。
【００３５】
このような第２のバルーン２２２では、口部２２２ｂから本体２２２ａ内へ作動流体ｆを供給することにより本体２２２ａが凹部２１１内に向けて膨張し（膨らみ）、口部２２２ｂから本体２２２ａ内の作動流体ｆを排出することによって本体２２２ａが収縮する（萎む）。
【００３６】
なお、本体２２２ａの形状としては、球状に限定されず、例えば、第１のバルーン２２１のように、長尺であってもよい。このような形状の場合には、凹部２１１の内側の側面２１１ｂに沿って配置することができる。
【００３７】
このような第１、第２のバルーン２２１、２２２の構成材料としては、特に限定されず、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料（特に加硫処理したもの）や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。
【００３８】
ここで、第１、第２のバルーン２２１、２２２を膨張・収縮させる作動流体ｆとしては、特に限定されず、液体、気体のいずれを用いてもよい。また、作動流体ｆとしては、生体親和性を有するものが好ましい。
【００３９】
また、作動流体ｆを第１のバルーン２２１内に供給する方法、および、作動流体ｆを第１のバルーン２２１内から排出する方法としては、特に限定されず、例えば、シリンジ等を用いる方法が挙げられる（第２のバルーン２２２についても同様）。
【００４０】
すなわち、作動流体ｆが収納されたシリンジを口部２２１ｂに接続した状態にてシリンジの押し子を押し込むと、シリンジ内の作動流体ｆが第１のバルーン２２１の本体２２１ａ内へ供給され、本体２２１ａが膨張する。反対に、シリンジの押し子を引き戻すと、本体２２１ａ内の作動流体ｆがシリンジ内へ排出され、本体２２１ａが収縮する。
【００４１】
このようなシリンジの操作は、術者（歯科医師等）によっても簡単に行うことができるため、咬合器１の使用が簡単となる。また、このような方法では、第１のバルーン２２１内へ供給する作動流体ｆの量（体積）を簡単に調節することができ、本体２２１ａの膨張の程度を簡単に制御することができる。
【００４２】
また、作動流体ｆを第１のバルーン２２１内に供給する方法、および、作動流体ｆを第１のバルーン２２１内から排出する方法としては、上述したシリンジを用いる方法の他に、ポンプ等の流体機器を用いる方法も挙げられる。この方法では、術者がポンプを操作することによって、作動流体ｆを第１のバルーン２２１内に供給したり、作動流体ｆを第１のバルーン２２１内から排出したりすることにより、本体２２１ａを膨張させたり、収縮させたりすることができる。
【００４３】
なお、咬合器１では、第１、第２のバルーン２２１、２２２の膨張、収縮をそれぞれ独立して行うことができるように構成されていてもよいし、互いに連動して行うことができるように構成されていてもよい。ただし、操作性の観点から、第１、第２のバルーン２２１、２２２の膨張、収縮をそれぞれ独立して行うことができるように構成されているのが好ましい。
【００４４】
以上、第１の固定具２について説明した。このような第１の固定具２には、次のようにして下顎側有床義歯１００が着脱される。
【００４５】
まず、第１の固定具２の第１、第２のバルーン２２１、２２２をともに収縮状態（作動流体ｆを排出した状態）とする。次に、図４に示すように、凹部２１１内に下顎側有床義歯１００の床部１１０を配置する。次に、図５に示すように、第１、第２のバルーン２２１、２２２をそれぞれ膨張させ、第１、第２のバルーン２２１、２２２によって下顎側有床義歯１００の床部１１０を両側（すなわち、表側および裏側）から圧迫する。これにより、下顎側有床義歯１００が第１の固定具２に固定（装着）される。
【００４６】
なお、第１、第２のバルーン２２１、２２２を膨張させる際は、例えば、第１のバルーン２２１を膨張させてから第２のバルーン２２２を膨張させてもよいし、反対に、第２のバルーン２２２を膨張させてから、第１のバルーン２２１を膨張させてもよい。また、第１、第２のバルーン２２１、２２２を同時に膨張させてもよい。また、第１、第２のバルーン２２１、２２２を交互に少しずつ膨張させてもよい。
【００４７】
反対に、第１の固定具２に下顎側有床義歯１００が固定されている状態にて、第１、第２のバルーン２２１、２２２を収縮させると、第１の固定具２から下顎側有床義歯１００を簡単に取り外すことができる。
【００４８】
このような第１の固定具２によれば、軟質な第１、第２のバルーン２２１、２２２によって下顎側有床義歯１００をその両側から圧迫することで、下顎側有床義歯１００を挟持し固定するため、下顎側有床義歯１００の破損（傷つき、破壊等）を効果的に防止または抑制することができる。また、第１、第２のバルーン２２１、２２２が、下顎側有床義歯１００の表面形状に追従して変形し密着するため、下顎側有床義歯１００をより安定した状態で固定することができる。
【００４９】
また、上述したように、第１の固定具２への下顎側有床義歯１００の着脱を簡単に行うことができるため、操作性に優れた咬合器１となる。特に、第１の固定具２によれば、従来のように、石膏等の接着剤を用いずに下顎側有床義歯１００を固定することができるため、患者から取り外した下顎側有床義歯１００を第１の固定具２に固定する行為や、第１の固定具２から取り外した下顎側有床義歯１００を患者に装着する行為を迅速に行うことができる。そのため、下顎側有床義歯１００および上顎側有床義歯２００の噛み合せの調整をより短時間にかつ効率的に行うことができる。また、石膏等の接着剤を取り除く必要がないため、その際に、下顎側有床義歯１００が破損する危険性を回避することができる。
以上、第１の固定具２の構成について詳細に説明した。
【００５０】
咬合器１は、前述したように、第１の固定具２と第２の固定具３とを連結する連結部４を有している。連結部４は、第１の固定具２および第２の固定具３を、顎運動に近似して相対運動可能なように連結しており、これにより、下顎側有床義歯１００と上顎側有床義歯２００との口腔内での噛み合せを咬合器１にて再現することができる。
【００５１】
図１に示すように、連結部４は、第１の固定具２が固定された第１のアーム４１と、第２の固定具３が固定された第２のアーム４２とを有しており、これらは、軸４３によって、回動自在に連結されている。なお、第１のアーム４１に対する第２のアーム４２の姿勢は、図示しない固定手段によって固定することができる。
【００５２】
また、第２のアーム４２は、先端側アーム４２１と、基端側アーム４２２と、先端側アーム４２１と基端側アーム４２２とを連結する関節４４とを有している。関節４４は、２つのボール４４１、４４２と、これらボール４４１、４４２を挟持するボールホルダー４４３とを有している。また、ボール４４１は、先端側アーム４２１と接続されており、ボール４４２は、基端側アーム４２２と接続されている。
【００５３】
ボールホルダー４４３は、図示しないボルト等を操作することによって、各ボール４４１、４４２を挟持する圧力を独立して変化させることができる。すなわち、ボールホルダー４４３は、圧力が弱く、術者によってボール４４１をボールホルダー４４３に対して摺動回転させることのできる状態と、圧力が強く術者によってボール４４１をボールホルダー４４３に対して摺動回転させることのできない状態とを取ることができる。このことは、ボール４４２についても同様である。
【００５４】
このような関節４４によれば、先端側アーム４２１の姿勢を基端側アーム４２２に対して自在に変化させることができる。
【００５５】
すなわち、関節４４を有することにより、図６に示すように、床部（上顎側有床義歯床部）２１０が第１、第２のバルーン３２１、３２２に両側から圧迫されることにより、第２の固定具３に固定された上顎側有床義歯２００の姿勢を、第１の固定具２に固定された下顎側有床義歯１００に対して自在に変化させることができる。
【００５６】
以上のような連結部４によれば、上下顎の開閉を再現することができ、下顎側有床義歯１００と上顎側有床義歯２００の噛み合せを確認することができる。
【００５７】
なお、本実施形態の咬合器１は、いわゆる「平均値咬合器」と呼ばれるタイプの咬合器であるが、咬合器１としては、このタイプに限定されず、例えば、「平線咬合器（蝶番咬合器）」、「全調節性咬合器」、「半調節性咬合器」等のいかなるタイプの咬合器であってもよい。
【００５８】
以上、図示の実施形態に基づいて本発明の固定具および咬合器を説明したが、本発明は、これらに限定されるものでない。例えば、本発明の固定具および咬合器では、各部の構成は、同様の機能を発揮する任意の構成のものに置換することができ、また、任意の構成を付加することもできる。
【００５９】
また、前述した実施形態では、咬合器が２つの固定具（本発明の固定具）を有する構成について説明したが、これに限定されず、少なくとも１つの固定具（本発明の固定具）を有していればよい。すなわち、第１の固定具および第２の固定具のうちのいずれか一方に本発明の固定具が用いられていればよい。
【００６０】
例えば、下顎側有床義歯と、上顎側の天然歯との噛み合せを調節する場合には、本発明の固定具を下顎側有床義歯を固定するために用い、上顎側の模型は、従来のような固定具（固定方法）を用いればよい。また、上顎側有床義歯と、下顎側の天然歯との噛み合せを調節する場合には、本発明の固定具を上顎側有床義歯を固定するために用い、下顎側の模型は、従来のような固定具（固定方法）を用いればよい。
【００６１】
また、前述した実施形態では、各固定具に、２つのバルーン（第１、第２のバルーン）が設けられた構成について説明したが、バルーンの数は、これに限定されず、１つであってもよいし、３つ以上であってもよい。具体的には、第１のバルーンおよび第２のバルーンのうちの一方を省略してもよいし、これらを一体的に形成してもよい。また、第１のバルーンをその延在方向に複数に分割してもよい。言い換えれば、複数の第１のバルーンを凹部の外側（表側）の側面に沿って配置してもよい。
【００６２】
また、第１、第２のバルーンの形状としては、特に限定されず、表面が滑らかなものであってもよいし、表面に凹凸が形成されているものであってもよい。
【符号の説明】
【００６３】
１          咬合器
２          第１の固定具
２１        本体
２１１      凹部
２１１ａ    側面
２１１ｂ    側面
２１２      貫通孔
２１３      貫通孔
２２        バルーン
２２１      第１のバルーン
２２１ａ    本体
２２１ｂ    口部
２２２      第２のバルーン
２２２ａ    本体
２２２ｂ    口部
３          固定具
３２１      第１のバルーン
３２２      第２のバルーン
４          連結部
４１        第１のアーム
４２        第２のアーム
４２１      先端側アーム
４２２      基端側アーム
４３        軸部
４４        関節
４４１      ボール
４４２      ボール
４４３      ボールホルダー
１００      下顎側有床義歯
１１０      床部
２００      上顎側有床義歯
２１０      床部
ｆ          作動流体
【図１】
2013052088.tif 000003
【図２】
2013052088.tif 000004
【図３】
2013052088.tif 000005
【図４】
2013052088.tif 000006
【図５】
2013052088.tif 000007
【図６】
2013052088.tif 000008